(57)【要約】【課題】  装置の構成を複雑にすることなく、音声信号にデータを多重化して赤外線を用いて伝送すること。【解決手段】  アナログの音声信号にディジタルのデータを多重化し、赤外線を用いて伝送する赤外線多重伝送方式であって、音声信号をＦＭ変調して音声ＦＭ変調信号を生成し、伝送するデータが無いときには音声ＦＭ変調信号をそのまま赤外線を用いて伝送し、伝送するデータが有るときには、データ１ビット当たり（例えばデータ１ビット周期Ｔｋ＝５２μｓ）、音声ＦＭ変調信号の伝送を設定時間Ｔｓ（例えば１．６μｓ）止めてデータを多重化した信号を赤外線を用いて伝送する。音声信号をディジタル化することなくアナログのまま伝送できるとともに、キャリアを増やすことなくデータを多重化して伝送できる。【選択図】  図１        
2005260366.tif 000002
【特許請求の範囲】
【請求項１】
アナログの音声信号にディジタルのデータを多重化し、赤外線を用いて伝送する赤外線多重伝送方式であって、前記音声信号を変調して音声変調信号を生成し、伝送するデータが無いときには前記音声変調信号を赤外線を用いて伝送し、伝送するデータが有るときには、前記音声変調信号の伝送をデータ１ビットあたり設定時間（Ｔｓ）止めて前記データを多重化した信号を、赤外線を用いて伝送することを特徴とする赤外線多重伝送方式。
【請求項２】
アナログの音声信号にディジタルのデータを多重化し赤外線を用いて送信する赤外線多重信号送信装置であって、前記音声信号を変調する音声変調部（１２）と、送信するデータが無いときには音声変調部（１２）による音声変調信号を出力し、送信するデータが有るときには、前記音声変調信号の出力をデータ１ビットあたり設定時間（Ｔｓ）止めて前記データを多重化した信号を出力するデータ変調部（１４）と、データ変調部（１４）の出力信号に応じて赤外線を発光する赤外線発光部（１５）とを具備したことを特徴とする赤外線多重信号送信装置。
【請求項３】
送信するデータに、調歩同期をとるためのスタートビットとストップビットを付加したことを特徴とする請求項２記載の赤外線多重信号送信装置。
【請求項４】
アナログの音声信号にディジタルのデータを多重化し赤外線を用いて送信されてくる変調信号を受信する赤外線多重信号受信装置であって、送信されてくる赤外線を受光し光電変換して受信変調信号を出力する赤外線受光部（３１）と、赤外線受光部（３１）の出力信号から音声信号を復調する音声復調部（３２）と、赤外線受光部（３１）の出力信号から音声変調信号成分を取り除きデータ成分を抽出するデータ抽出部（３４）と、データ抽出部（３４）で抽出したデータ部変調信号からデータを復調するデータ復調部（３５）とを具備したことを特徴とする赤外線多重信号受信装置。
【請求項５】
データ復調部（３５）は、データ抽出部（３４）で抽出したデータ部変調信号をラッチし、データ１ビット毎のタイミングでデータ１ビット幅の略真中をサンプリングしてデータを復調することを特徴とする請求項４記載の赤外線多重信号受信装置。
【請求項６】
データ復調部（３５）は、データ抽出部（３４）で抽出したデータ部変調信号中にスタートビットとストップビットが有ることを検出したときのみ、データ部変調信号からデータを復調することを特徴とする請求項４又は５記載の赤外線多重信号受信装置。
【請求項７】
請求項２記載の赤外線多重信号送信装置と、請求項４記載の赤外線多重信号受信装置とを具備したことを特徴とする赤外線多重伝送装置。
【請求項８】
請求項２記載の赤外線多重信号送信装置と、請求項５記載の赤外線多重信号受信装置とを具備したことを特徴とする赤外線多重伝送装置。
【請求項９】
請求項３記載の赤外線多重信号送信装置と、請求項６記載の赤外線多重信号受信装置とを具備したことを特徴とする赤外線多重伝送装置。
【発明の詳細な説明】
【技術分野】
【０００１】
本発明は、音声にデータを多重化し赤外線を用いて伝送する方式、及びこの赤外線多重伝送方式に用いる赤外線多重信号送信装置、赤外線多重信号受信装置並びに赤外線多重伝送装置に関するものである。
【背景技術】
【０００２】
従来、音声を赤外線を用いて伝送する装置には、図９に示すような装置が知られている。
図９において、１００は送信器、１１０は受信器で、送信器１００は、音声入力部１０２と、この音声入力部１０２の出力側に順次接続された音声ＦＭ変調部１０４及び発光部（赤外線発光部）１０６とを具備し、受信器１１０は、受光部（赤外線受光部）１１２と、この受光部１１２の出力側に順次接続された音声ＦＭ復調部１１４及び音声出力部１１６とを具備している。
送信器１００側では、音声入力部１０２から入力したアナログの音声信号が、音声ＦＭ変調部１０４でＦＭ変調（周波数変調）されて発光部１０６に入力し、この発光部１０６が音声ＦＭ変調信号に応じて発光し、赤外線を出力する。
受信器１１０側では、受光部１１２で送信器１００からの赤外線を受光して光電変換で電気信号に変換し、音声ＦＭ復調部１１４でアナログの音声信号を復調して音声出力部１１６へ出力し、音声出力部１１６から音声が出力する。
そして、このような送信器１００と受信器１１０を館内放送装置やカラオケ装置に利用した場合には、音声入力部１０２（例えばマイクロフォン）から入力した音声が送信器１００から赤外線を介して受信器１１０へ伝送され、音声出力部１１６（例えばスピーカ）から拡声される。
【０００３】
しかし、図９の装置では赤外線を用いて音声信号を伝送できるが、赤外線を用いて音声信号にデータ（例えば制御データ）を多重化して伝送することができない。
例えば、館内放送装置やカラオケ装置でマイクロフォンから入力した音声を赤外線を用いてスピーカ側へ伝送するとき、スピーカの音量を制御するための制御データをスピーカ側へ伝送することができない。
赤外線を用いて音声信号とデータを伝送する方式には、アナログの音声信号をディジタル化した後に制御データと時分割多重化し、ＦＳＫ変調（周波数シフトキーイング変調）して伝送する方式や、図１０及び図１１に示す装置で図１２に示すフレームフォーマットを用いることにより、１フレーム内に制御データ用タイムスロット「ＣＮＴ」、「ＲｘＣＮＴ」と、音声データ用タイムスロット「Ｔｘ＃１」〜「Ｔｘ＃４」、「Ｒｘ＃１」〜「Ｒｘ＃４」を設けて、１チャンネルで伝送する方式（例えば特許文献１参照）が考えられる。
【０００４】
図１０において、２００は公衆用回線とのインタフェースと内線の交換機能を有する主装置、２１０は赤外線通信による送受信機としてのコードレス電話端末、２３０は天井や壁を示す。
コードレス電話端末２１０は、図１１に示すように、光送受信部２１２、変復調部２１４、同期部２１６、フレーム処理部２１８、符号／復号化部２２０、制御部２２２、スピーカ２２４及びマイクロフォン２２６を具備し、天井や壁２３０を利用した赤外線の通信により主装置２００とコードレス電話端末２１０の間で送受信が行われる。
【特許文献１】特開平８−３３１１０７号公報（段落番号「０００５」〜「００１８」、図１から図３）
【発明の開示】
【発明が解決しようとする課題】
【０００５】
しかしながら、アナログの音声信号をディジタル化した後に制御データと時分割多重化し、ＦＳＫ変調して伝送する方式では、送信器側にＡ／Ｄ（アナログ／ディジタル）変換器が必要になると共に、受信器側にＤ／Ａ（ディジタル・アナログ）変換器が必要になり、キャリア（搬送波）も２つ必要になるなど、回路構成が複雑になるという問題点があった。
また、図１０〜図１２に示した従来例でも、符号／復号化部２２０が必要になるなど、回路構成が複雑になるという問題点があった。
【０００６】
本発明は、上述の問題点に鑑みなされたもので、装置の構成を複雑にすることのない、音声信号にデータを多重化して赤外線を用いて伝送する方式、この赤外線多重伝送方式に用いられる赤外線多重信号送信装置、赤外線多重信号受信装置並びに赤外線多重伝送装置を提供することを目的にとするものである。
【課題を解決するための手段】
【０００７】
請求項１記載の発明は、アナログの音声信号にディジタルのデータを多重化し、赤外線を用いて伝送する赤外線多重伝送方式であって、音声信号を変調して音声変調信号を生成し、伝送するデータが無いときには音声変調信号を赤外線を用いて伝送し、伝送するデータが有るときには、音声変調信号の伝送をデータ１ビットあたり設定時間Ｔｓ止めてデータを多重化した信号を、赤外線を用いて伝送することを特徴とする。
【０００８】
請求項２記載の発明は、アナログの音声信号にディジタルのデータを多重化し、赤外線を用いて送信する赤外線多重信号送信装置であって、音声信号を変調する音声変調部と、送信するデータが無いときには音声変調部による音声変調信号を出力し、送信するデータが有るときには、音声変調信号の出力をデータ１ビットあたり設定時間Ｔｓ止めてデータを多重化した信号を出力するデータ変調部と、データ変調部の出力信号に応じて赤外線を発光する赤外線発光部とを具備したことを特徴とする。
【０００９】
請求項３記載の発明は、請求項２記載の発明において、送信するデータに、調歩同期をとるためのスタートビットとストップビットを付加したことを特徴とする。
【００１０】
請求項４記載の発明は、アナログの音声信号にディジタルのデータを多重化し赤外線を用いて送信されてくる変調信号を受信する赤外線多重信号受信装置であって、送信されてくる赤外線を受光し光電変換して受信変調信号を出力する赤外線受光部と、この赤外線受光部の出力信号から音声信号を復調する音声復調部と、赤外線受光部の出力信号から音声変調信号成分を取り除きデータ成分を抽出するデータ抽出部と、このデータ抽出部で抽出したデータ部変調信号からデータを復調するデータ復調部とを具備したことを特徴とする。
【００１１】
請求項５記載の発明は、請求項４記載の発明において、データ復調部は、データ抽出部で抽出したデータ部変調信号をラッチし、データ１ビット毎のタイミングでデータ１ビット幅の略真中をサンプリングしてデータを復調することを特徴とする。
【００１２】
請求項６記載の発明は、請求項４又は５記載の発明において、データ復調部は、データ抽出部で抽出したデータ部変調信号中にスタートビットとストップビットが有ることを検出したときのみ、データ部変調信号データを復調することを特徴とする。
【００１３】
請求項７記載の発明による赤外線多重伝送装置は、請求項２記載の赤外線多重信号送信装置と請求項４記載の赤外線多重信号受信装置とを具備したことを特徴とする。
【００１４】
請求項８記載の発明による赤外線多重伝送装置は、請求項２記載の赤外線多重信号送信装置と請求項５記載の赤外線多重信号受信装置とを具備したことを特徴とする。
【００１５】
請求項９記載の発明による赤外線多重伝送装置は、請求項３記載の赤外線多重信号送信装置と請求項６記載の赤外線多重信号受信装置とを具備したことを特徴とする。
【発明の効果】
【００１６】
請求項１記載の発明は、赤外線多重伝送方式において、音声信号を変調（例えばＦＭ変調）して音声変調信号を生成し、伝送するデータが無いときには音声変調信号を伝送し、伝送するデータが有るときには、音声変調信号の伝送をデータ１ビット（周期Ｔｋ）あたり設定時間Ｔｓ止めてデータを多重化した信号を伝送する構成としたので、音声信号をディジタル化することなくアナログのまま伝送することができると共に、伝送に用いるキャリアを増やすことなく音声信号にデータを多重化して伝送できる。
【００１７】
請求項２記載の発明は、赤外線多重信号送信装置において音声ＦＭ変調部、データ変調部及び赤外線発光部を具備し、送信するデータが無いときには音声変調信号を送信し、送信するデータが有るときには、音声変調信号の出力をデータ１ビット（周期Ｔｋ）あたり設定時間Ｔｓ止めてデータを多重化した信号を送信する構成としたので、音声信号をディジタル化することなくアナログのまま送信すると共に送信に用いるキャリアを増やすことなく音声信号にデータを多重化して送信できる装置の構成を簡単にすることができる。
例えば、従来例のようなＡ／Ｄ変換器や符号化部を必要とせず、２つのキャリアも必要としないので、装置の構成を簡単にすることができる。
【００１８】
請求項３記載の発明は、請求項２記載の発明において、送信するデータに調歩同期をとるためのスタートビットとストップビットを付加する構成としたので、赤外線遮断による送信エラー発生時に、受信側が誤ったデータを復調するのを予防することができる。
【００１９】
請求項４記載の発明は、赤外線多重信号受信装置において赤外線受光部、音声復調部、データ抽出部及びデータ復調部を具備し、受信変調信号から音声信号を復調すると共に、受信変調信号から音声変調信号成分を取り除きデータ成分を抽出してデータを復調する構成としたので、音声変調信号にデータを多重化し１キャリアで送信されてくる変調信号を受信し、この受信変調信号から音声信号とデータを復調する装置の構成を簡単にすることができる。
例えば、従来例のようなＤ／Ａ変換器や復号化部を必要としないので、装置の構成を簡単にすることができる。
【００２０】
請求項５記載の発明は、請求項４記載の発明において、データ復調部が、データ抽出部で抽出した信号をラッチし、データ１ビット幅の略真中をサンプリングしてデータを復調する構成としたので、クロックの周波数偏差や遅延等によるデータ復調エラーを防止することができる。
【００２１】
請求項６記載の発明は、請求項４又は５記載の発明において、データ復調部が、データ抽出部で抽出したデータ部変調信号中にスタートビットとストップビットが有ることを検出したときのみ、データを復調する構成としたので、赤外線遮断による送信エラー発生時に、誤ったデータを復調するのを防止することができる。
【００２２】
請求項７記載の発明による赤外線多重伝送装置は、請求項２記載の赤外線多重信号送信装置と請求項４記載の赤外線多重信号受信装置を具備する構成としたので、請求項２記載の発明と請求項４記載の発明の効果を有する。
例えば、Ａ／Ｄ変換器及びＤ／Ａ変換器、又は符号化部及び復号化部を不要にして、伝送装置の構成を簡単にすることができる。
【００２３】
請求項８記載の発明による赤外線多重伝送装置は、請求項２記載の赤外線多重信号送信装置と請求項５記載の赤外線多重信号受信装置を具備する構成としたので、請求項２記載の発明と請求項５記載の発明の効果を有する。
例えば、伝送装置の構成を簡単にすることができるとともに、送信装置と受信装置のクロックの周波数偏差や遅延等によるデータ復調エラーを防止することができる。
【００２４】
請求項９記載の発明による赤外線多重伝送装置は、請求項３記載の赤外線多重信号送信装置と請求項６記載の赤外線多重信号受信装置を具備する構成としたので、請求項３記載の発明と請求項６記載の発明の効果を有する。
例えば、伝送装置の構成を簡単にすることができるとともに、赤外線遮断による伝送エラー発生時に、誤ったデータを復調するのを防止できる。
【実施例】
【００２５】
図１は本発明による赤外線多重伝送方式の一実施例の基本原理を示すもので、（ａ）は、送信側において多重化して伝送するデータが無いときにおける伝送信号（音声ＦＭ変調信号のみ）を示し、（ｂ）は、送信側において多重化して伝送するデータが有るときにおける伝送信号（音声ＦＭ変調信号にデータを多重化した送信変調信号）を示し、（ｃ）は、受信側において（ｂ）の伝送信号を受信し、この受信信号から音声ＦＭ変調信号成分を取り除きデータ部分を抽出した後の変調信号を示す。
【００２６】
図１の赤外線多重伝送方式は、音声信号をＦＭ変調して音声ＦＭ変調信号を生成し、伝送するデータが無いときには図１（ａ）に示すような音声ＦＭ変調信号のみからなる信号を赤外線を用いて伝送し、伝送するデータが有るときには、図１（ｂ）に示すような、データ１ビット毎の転送タイミング（データ１ビット周期Ｔｋ）で、ビット値が「１」と「０」の一方（例えば「１」）のときに音声ＦＭ変調信号の伝送を設定時間Ｔｓ止めてデータを多重化した信号を、赤外線を用いて伝送するものである。
このため、音声信号をディジタル化することなくアナログのまま伝送できると共に、キャリアを増やすことなく１キャリアで音声にデータを多重化して伝送できる。
例えば、館内放送装置やカラオケ装置で音声信号を赤外線を用いてスピーカ側へ伝送するときに、この音声信号に制御データ（例えば音量制御用のデータ）を多重化して伝送する場合、音声信号をディジタル化することなくアナログのまま伝送できるとともに、１キャリアで伝送できる。
【００２７】
図１（ｂ）において、設定時間Ｔｓは音声ＦＭ変調信号を止める時間なので、これを長くすると音声復調への影響が大きくなり、これを短くするとキャリア周波数の周期との差が小さくなりデータ復調への影響が大きくなる。このため、設定時間Ｔｓは、音声復調とデータ復調への影響を考慮して所定値に設定される。
例えば、音声信号に多重化するデータの転送速度が９．６ｋｂｐｓ（キロビット／秒）〜１９．２ｋｂｐｓと低速であり、要求される音声品質がオーディオレベルでなく館内放送レベルの場合には、設定時間Ｔｓは次のようにして決定される。
既存の音声変復調モジュールにより、周期Ｔｋ＝５２μｓ（マイクロ秒）（転送速度１９．２ｋｂｐｓに対応）で音声ＦＭ変調信号を止め、復調した音声にどの程度の影響がでるのかを予備実験した結果、音声ＦＭ変調信号を止める長さが「２μｓ」を超えると、実聴レベルで音声への影響がでることが確認できた。そこで、余裕度を持たせて、データ１ビットあたりの音声ＦＭ変調信号を止める時間（すなわち設定時間）Ｔｓを「１．６μｓ」と設定した。
【００２８】
図２は、本発明の赤外線多重伝送方式に適用される赤外線多重伝送装置の一実施例を示すものである。
図２において、１０は本発明による赤外線多重信号送信装置の一実施例としての送信器、３０は本発明による赤外線多重信号受信装置の一実施例としての受信器である。
【００２９】
送信器１０は、図２の上段に示すように、音声入力部１１、音声ＦＭ変調部１２、データ入力部１３、データ変調部１４及び赤外線発光部１５を具備している。
音声入力部１１、音声ＦＭ変調部１２、赤外線発光部１５は、それぞれ従来例を示す図９中の音声入力部１０２、音声ＦＭ変調部１０４、発光部１０６と同様に構成されている。
データ入力部１３は、キーマトリックスやタイミング信号生成器などで構成され、入力したデータ（例えば８ビットパラレルデータ）とストローブ信号を出力する。
【００３０】
データ変調部１４は、最大６４マクロセル（うち３５マクロセル使用）のＣＰＬＤ（Complex Programmable Logic Device）に、ＡＨＤＬ（Altera Hardware Description Language）を用いて、所定データをクロック周波数２．５ＭＨｚ（クロック周期＝０．４μｓ）で書き込むことにより、以下の機能（イ）〜（ニ）を具備するように構成されている。
（イ）入力データをＰ／Ｓ（並列／直列）変換する機能。
（ロ）前記（イ）による直列データを、１９．２ｋｂｐｓ（データ転送速度１９．２ｋｂｐｓ（周期Ｔｋ＝５２μｓ）に対応）のビットレートで符号化するパルス符号変調機能。
（ハ）前記（ロ）による変調信号に対して、データ１パケット（例えが８ビット）毎にスタートビットとストップビットを付加する機能。
（ニ）音声ＦＭ変調部１２から出力する音声ＦＭ変調信号と前記（ハ）による変調信号をミックス（混合）し、音声ＦＭ変調信号にデータを多重化した送信変調信号を赤外線発光部１５へ出力する機能。
【００３１】
受信器３０は、図２の下段に示すように、赤外線受光部３１、音声ＦＭ復調部３２、音声出力部３３、データ抽出部３４、データ復調部３５及びデータ出力部３６を具備している。
赤外線受光部３１、音声ＦＭ復調部３２、音声出力部３３は、それぞれ従来例を示す図９中の受光部１１２、音声ＦＭ復調部１１４、音声出力部１１６と同様に構成されている。
データ抽出部３４は、図３に示すように、増幅器４１、ダイオード４２、抵抗４３、コンデンサ４４及びコンパレータ（反転入力型）４５からなるエンベロープ検出回路で構成され、図４（ａ）に示すような入力信号を包絡線検波して同図（ｂ）に示すような出力信号を出力することにより、赤外線受光部３１の出力信号から音声ＦＭ変調信号成分を取り除きデータ部分を抽出する。
図３において、入力信号によるコンデンサ４４への充電時には点線矢印のように充電電流が流れ、コンデンサ４４の放電時には一点鎖線矢印のように放電電流が流れ、抵抗４３とコンデンサ４４による時定数は、Ｔｃより大きく、設定時間Ｔｓより小さくなるように設定されている。Ｔｃは音声信号でＦＭ変調されるキャリア（周波数２．８ＭＨｚ）の周期（約０．３５７μｓ）より若干小さな値（０．３５μｓ）を表す。
【００３２】
データ復調部３５は、最大６４マクロセル（うち４１マイクロセル使用）のＣＰＬＤに、ＡＨＤＬを用いて、所定のデータをクロック周波数２．５ＭＨｚ（クロック周期＝０．４μｓ）で書き込むことにより、以下の機能（イ）〜（ホ）を有するように構成されている。
（イ）データ抽出部３４で抽出されたデータにスタートビットとストップビットに対応した信号が有るか否かを検出する機能。
（ロ）前記（イ）でスタートビットとストップビットに対応した信号が有ると検出されたときのみ、データ抽出部３４で抽出されたデータをクロックとしてデータをラッチする機能。
（ハ）前記（ロ）でラッチされたデータを、周期Ｔｋのクロックにより、スタートビットからＴｋ／２（＝２６μｓ）遅らせたタイミングでサンプリングする機能。
（ニ）前記（ロ）でラッチされたデータと、前記（ハ）でサンプリングされたデータとの排外的論理和（エクスクルーシブ・オア＝Ｅｘ．ＯＲ）演算をする機能。
（ホ）前記（ニ）の演算データを直列／並列変換してデータ出力部３６へ出力する機能。
【００３３】
つぎに、前記実施例の作用を図５〜図８を併用して説明する。
送信器１０による送信作用（Ａ）、受信器３０による受信作用（Ｂ）、その他の作用（Ｃ）に分けて説明する。
説明の便宜上、音声ＦＭ変調部１２は音声入力部１１から入力したアナログの音声信号で周波数２．８ＭＨｚの搬送波をＦＭ変調して出力するものとする。
また、データ入力部１３、データ出力部３６におけるデータは、転送速度が１９．２ｋｂｐｓ（データ１ビット周期＝Ｔｋ＝５２μｓ）、データ長が８ビット／パケットであり、データ入出力が（８ビットパラレル＋ストローブ信号）であり、１６進表示で５５Ｈ（ビット表示で０１０１０１０１Ｂ）であるとする。
【００３４】
Ａ：送信器１０による送信作用。
（１）アナログの音声信号が音声入力部１１から音声ＦＭ変調部１２に入力すると、音声ＦＭ変調部１２から図５（ｄ）に示すような音声ＦＭ変調信号が出力し、この音声ＦＭ変調信号がデータ変調部１４に入力する。
【００３５】
（２）データ入力部１３から図５の（ａ）、（ｂ）に示す入力データ（８ビットパラレル）、ストローブ信号がデータ変調部１４に入力すると、データ変調部１４は、まずそのＰ／Ｓ変換機能（イ）によって同図（ｃ）に示すような直列データを出力する。
図５（ｃ）においてＤ０はＬＳＢ（最下位ビット）、Ｄ７はＭＳＢ（最上位ビット）を表わす。
データ変調部１４は、ついで、そのパルス符号変調機能（ロ）によって、図５（ｃ）の直列データをビットレート１９．２ｋｂｐｓでパルス符号化し、ついで、その機能（ハ）によって、データ１パケット毎にスタートビットとストップビットを付加し、ついで、その多重化機能（ニ）によって、音声ＦＭ変調部１２から出力する音声ＦＭ変調信号（同図（ｄ）に示す）とミックスし、同図（ｅ）に示すような音声変調信号にデータを多重化した送信変調信号を赤外線発光部１５へ出力する。
【００３６】
（３）赤外線発光部１５は、データ変調部１４から入力した図５（ｅ）に示す送信変調信号に基づいて発光素子（発光ダイオード）を発光し、赤外線を受信器３０側へ出力する。
【００３７】
Ｂ：受信器３０による受信作用。
（１）赤外線受光部３１は、その受光素子（例えばフォトダイオード）が送信器１０から送信された赤外線を受光すると、光電変換作用に基づいて図６（ａ）に示すような受信変調信号を音声ＦＭ復調部３２とデータ抽出部３４へ出力する。
【００３８】
（２）音声ＦＭ復調部３２は、従来例と同様に、そのＦＭ復調作用により音声信号を復調して音声出力部３３へ出力し、音声が受信される。
【００３９】
（３）データ抽出部３４は、その包絡線検波作用により赤外線受光部３１の出力信号から音声ＦＭ変調信号成分を取り除いてデータ部分を抽出し、図６（ｂ）に示すような変調信号をデータ復調部３５へ出力する。
【００４０】
（４）データ復調部３５は、まず、その検出機能（イ）により、データ抽出部３４で抽出されたデータにスタートビットとストップビットに対応した信号が有るか否かを検出し、ついで、そのラッチ機能（ロ）により抽出データをクロックとして図６（ｃ）示すようなデータをラッチする。
データ復調部３５は、ついで、そのサンプルング機能（ハ）により、ラッチデータを周期Ｔｋのクロックで、スタートビットからＴｋ／２（２６μｓ）遅らせたタイミングでサンプリングして図６（ｄ）に示すサンプリングデータを得る。
データ復調部３５は、ついで、その演算機能（ニ）により、図６（ｃ）のデータと同図（ｄ）のデータとの排他的論理和演算で同図（ｅ）に示す直列データを復調し、ついで、その直列／並列変換機能（ホ）で同図の（ｆ）、（ｇ）に示すような８ビットパラレルデータ、ストローブ信号をデータ出力部３６へ出力する。
【００４１】
Ｃ：その他の作用。
赤外線遮断による伝送エラー防止（Ｃ−１）、送信器１０、受信器３０のクロックの周波数偏差、遅延等によるデータ復調エラー防止作用（Ｃ−２）、周波数特性等（Ｃ−３）に分けて説明する。
【００４２】
Ｃ−１：赤外線遮断による伝送エラー防止作用。
（１）送信器１０の赤外線発光部１５から出力した赤外線が受信器３０の赤外線受光部３１に正常に伝送されているときに、図７（ａ）に示すような変調信号が受信され、赤外線伝送路が人や移動物体などの障害物で一定期間Ｔｃｕｔ遮断されて、同図（ｂ）に示すような変調信号が受信されたものとすると、この赤外線遮断時の変調信号を受信した受信器３０では誤ったデータを復調するおそれがある。
【００４３】
（２）このため本発明では、送信器１０側において、図５（ｅ）に示すように送信するデータにスタートビットとストップビットを付加し、受信器３０側において、スタートビットとストップビットを検出したときのみ復調データを出力するようにしたので、図７（ｂ）に示すような赤外線遮断時の伝送信号を受信した場合に、受信器３０側で誤ったデータを復調することがない。
【００４４】
Ｃ−２：クロックの周波数偏差、遅延等によるデータ復調エラー防止作用。
（１）図６（ｂ）に示すように、受信器３０のデータ抽出部３４が抽出した変調信号を、同図矢印で示すタイミング（周期Ｔｋ）でサンプリングしてデータ復調をしたものとすると、１パケット長＝５２０μｓ（＝５２μｓ×１０ビット）に対し音声ＦＭ変調信号を止める設定時間Ｔｓ（＝１．６μｓ）が短いため、送信器１０、受信器３０のクロックの周波数偏差、遅延等によってデータ復調エラーが生じる可能性がある。
すなわち、クロックの周波数偏差、遅延等によりサンプリング点が図６（ｂ）の一点鎖線矢印で示すように、実線矢印で示す中心点（データ部変調信号の中心点）からＴｓ／２以上ずれると、正しいデータ復調ができなくなるため、余裕度が１パッケト長＝５２０μｓに対してＴｓ／２（＝０．８μｓ）と短いからである。  
【００４５】
（２）このため本発明では、受信器３０のデータ復調部３５が、図６（ｃ）のラッチ後のデータと同図（ｄ）のサンプリングデータとの排他的論理和演算をして得た同図（ｅ）のデータを復調データとしたので、余裕度を１パケット長＝５２０μｓに対してＴｋ／２に広げて、クロックの周波数偏差、遅延等でデータ復調エラーが生じる可能性を低くすることができる。
すなわち、図６（ｃ）に実線矢印で示すようにラッチ後のデータ１ビット幅（＝Ｔｋ）の略真中でサンプリングしてデータを復調するようにしたので、同図に一点鎖線矢印で示すように、サンプリング点のいずれの余裕度をＴｓ／２（＝０．８μｓ）からＴｋ／２（＝２６μｓ）まで広げることができるからである。
【００４６】
Ｃ−３：周波数特性等。
（１）音声への影響を考案するため、データ無し時とデータ有り時の周波数特性を測定した結果、図８に示すような値となり、データの有無で周波数特性にほとんど差がなかった。
また、５０Ｈｚ〜１５ｋＨｚの範囲では、レベルが±２ｄＢ（基準周波数＝１ｋＨｚ）に収まっており、問題ないものといえる。  
【００４７】
（２）音声への影響を考案するために、データ無し時とデータ有り時のＳ／Ｎ比を測定した結果、データ無し時のＳ／Ｎ比が６２ｄＢであるのに対し、データ有り時のＳ／Ｎ比が４７ｄＢとなり、データ有り時のＳ／Ｎ比がデータ無し時に比べて１５ｄＢ劣化しているが、そのレベルは４７ｄＢであるため、オーディオレベルの高い音質を求めるような用途でなければ（例えば館内放送レベル）、問題ないものといえる。
【００４８】
前記実施例では、赤外線遮断による伝送エラー発生時に誤ったデータ復調を防止するために、送信器１０側で送信するデータにスタートビットとストップビットを付加し、受信器３０側でスタートビットとストップビットを検出したときのみデータを復調するようにしたが、本発明はこれに限るものでなく、スタートビットとストップビットの付加や検出を省略した場合についても利用することができる。例えば、赤外線遮断が生じ難い場所での使用では省略することができる。
【００４９】
前記実施例では、送信器１０、受信器３０のクロックの周波数偏差や遅延等によるデータを復調エラーが生じる可能性を低くするために、受信器３０側において、データ復調部３５がデータ抽出部３４で抽出した信号をラッチし、データ１ビット幅（Ｔｋ）の略真中をサンプリングし、サンプリング点の余裕度をＴｓ／２からＴｋ／２まで広げてデータを復調するようにしたが、本発明はこれに限るものでなく、データ抽出部３４で抽出した信号を、設定時間Ｔｓの間でサンプリングしてデータを復調するようにした場合についても利用できる。
【００５０】
前記実施例では、データの転送速度が１９．２ｋｂｐｓ（１ビット周期＝５２μｓ）、データ１ビット当たりの音声ＦＭ変調信号を止める設定時間Ｔｓが１．６μｓ、音声をＦＭ変調するキャリアの周波数が２．８ＭＨｚ（周期≒０．３５７μｓ）の場合について説明したが、本発明はこれに限るものではない。
データ転送速度が１９．２ｋｂｐｓ以下（例えば９．６〜１９．２ｋｂｐｓ）では、Ｔｓ＝１．６μｓ、キャリアの周波数＝２．８ＭＨｚで問題ないが、データ転送速度が１９．２ｋｂｐｓより高くなると、それに応じて設定時間Ｔｓを１．６μｓより短くしなければならず、設定時間Ｔｓが短くなるとキャリアの周波数を２．８ＭＨｚより高くしなければならない。
例えば、データ転送速度が１９．２ｋｂｐｓの２倍の３８．４ｋｂｐｓになると、それに応じて設定時間Ｔｓを１．６μｓより短くしなければならず、Ｔｓが短くなるとキャリアの周波数を２．８ＭＨｚより高く（例えば４．８ＭＨｚ）しなければならない。
このときのＴｓは、データ転送速度が１９．２ｋｂｐｓのときにＴｓを１．６μｓと決めたときと同様にして、データ転送速度が３８．４ｋｂｐｓ（データ１ビット周期＝２６μｓ）の周期で音声ＦＭ変調信号（例えばキャリア周波数が４．８ＭＨｚの信号）を止め、音声にどの程度の影響がでるのかの予備実験を行い、実聴レベルで音声への影響が許容できる値（１．６μｓより小さい値）に設定される。   
【００５１】
前記実施例では、音声信号のアナログ変調が周波数２．８ＭＨｚの搬送波を音声信号でＦＭ変調した場合について説明したが、本発明はこれに限るものではない。
例えば、周波数が２．８ＭＨｚ以外の搬送波を音声信号でＦＭ変調した場合、音声信号で搬送波をＡＭ変調（振幅変調）した場合、又は音声信号で搬送波をＰＭ変調（位相変調）した場合についても利用することができる。
【図面の簡単な説明】
【００５２】
【図１】本発明による赤外線多重伝送方式の一実施例の基本原理を説明するもので、（ａ）はデータ無し時の伝送信号、（ｂ）はデータ有り時の伝送信号、（ｃ）はデータ部抽出後の変調信号を示す。
【図２】本発明による送信器１０、受信器３０及び赤外線多重伝送装置の一実施例を示すブロック図である。
【図３】図２中のデータ抽出部３４の具体例を示す構成図である。
【図４】図３の作用を説明するもので、（ａ）は入力信号、（ｂ）出力信号を示す。
【図５】図２中の送信器１０の作用を説明するタイミングチャートである。
【図６】図２中の受信器３０の作用を説明するタイミングチャートである。
【図７】赤外線遮断時を説明するもので、（ａ）は正常時の伝送信号、（ｂ）は赤外線遮断時の伝送信号の波形図である。
【図８】データ無し時とデータ有り時の周波数特性図である。
【図９】従来例を示すブロック図である。
【図１０】他の従来例を示すシステム構成図である。
【図１１】図１０中のコードレス電話端末２１０のブロック図である。
【図１２】図１０のシステムで使用されるフレームフォーマットである。
【符号の説明】
【００５３】
１０…送信機（赤外線多重信号送信装置の一例）
１１…音声入力部
１２…音声ＦＭ変調部（音声変調部の一例）
１３…データ入力部
１４…データ変調部
１５…赤外線発光部
３０…受信器（赤外線多重信号受信装置の一例）   
３１…赤外線受光部
３２…音声ＦＭ復調部（音声復調部の一例）
３３…音声出力部
３４…データ抽出部  
３５…データ復調部
３６…データ出力部
Ｔｋ…データ１ビット周期
Ｔｓ…設定時間
【図１】
2005260366.tif 000003
【図２】
2005260366.tif 000004
【図３】
2005260366.tif 000005
【図４】
2005260366.tif 000006
【図５】
2005260366.tif 000007
【図６】
2005260366.tif 000008
【図７】
2005260366.tif 000009
【図８】
2005260366.tif 000010
【図９】
2005260366.tif 000011
【図１０】
2005260366.tif 000012
【図１１】
2005260366.tif 000013
【図１２】
2005260366.tif 000014